Podtech/llm-jp-corpus-v4-ja_patent huggingface dataset:
【手続補正書】
【提出日】平成15年10月21日(2003.10.21)
【手続補正１】
【補正対象書類名】明細書
【補正対象項目名】００２４
【補正方法】変更
【補正の内容】
【００２４】
接触帯電部材に対する粉末塗布
接触帯電装置について、帯電ムラを防止し安定した均一帯電を行なうために、接触帯電部材に被帯電体面との接触面に粉末を塗布する構成が特公平７−９９４４２号公報に開示されているが、接触帯電部材が被帯電体に従動回転であり、スコロトロン等のコロナ帯電器と比べるとオゾン生成物の発生は格段に少なくなっているものの、帯電原理は前述のローラ帯電の場合と同様に依然として放電帯電機構を主としている。特に、より安定した帯電均一性を得るためにはＤＣ電圧にＡＣ電圧を重畳した電圧を印加するために、放電によるオゾン生成物の発生はより多くなってしまう。よって、長期に装置を使用した場合や、クリーナレスの画像形成装置を長期に使用した場合において、オゾン生成物による画像流れ等の弊害が現れやすい。


【手続補正２】
【補正対象書類名】明細書
【補正対象項目名】００２７
【補正方法】変更
【補正の内容】
【００２７】
帯電ローラが被帯電体に従動で、放電帯電を主とする従来のローラ帯電構成では、またファーブラシの場合において放電を行う位に電圧を印加する構成では、長期に装置を使用した場合や、クリーナレスの画像形成装置を長期に使用した場合に、オゾン生成物が蓄積することにより画像流れが生じやすくなる。


【手続補正３】
【補正対象書類名】明細書
【補正対象項目名】００２８
【補正方法】変更
【補正の内容】
【００２８】
またクリーナレスの画像形成装置においては、転写残トナーが帯電部材と像担持体との帯電ニップ部（帯電部）において帯電不良を引き起こしてしまう。


【手続補正４】
【補正対象書類名】明細書
【補正対象項目名】００８１
【補正方法】変更
【補正の内容】
【００８１】
７はレーザーダイオード・ポリゴンミラー等を含むレーザービームスキャナ（露光器）である。このレーザービームスキャナは目的の画像情報の時系列電気デジタル画素信号に対応して強度変調されたレーザー光Ｌを出力し、該レーザー光で上記回転感光ドラム１の一様帯電面を走査露光する。７ａはレーザービームスキャナ７の出力レーザー光Ｌを感光ドラム１の露光部へ偏向するミラー部材である。この走査露光により回転感光ドラム１の面に目的の画像情報に対応した静電潜像が形成される。


【手続補正５】
【補正対象書類名】明細書
【補正対象項目名】０１５０
【補正方法】変更
【補正の内容】
【０１５０】
３）静電潜像形成のための画像露光手段としては、実施形態例の様にデジタル的な潜像を形成するレーザー走査露光手段に限定されるものではなく、通常のアナログ的な画像露光やＬＥＤなどの他の発光素子でも構わないし、蛍光燈等の発光素子と液晶シャッター等の組み合わせによるものなど、画像情報に対応した静電潜像を形成できるものであるなら構わない。


【手続補正６】
【補正対象書類名】明細書
【補正対象項目名】符号の説明
【補正方法】変更
【補正の内容】
【符号の説明】
１    感光ドラム（像担持体、被帯電体）
２    帯電ローラ（接触帯電部材）
２２    帯電促進粒子
３    現像装置
４    転写ローラ
５    定着装置
７    レーザービームスキャナ（露光装置）
８    帯電促進粒子供給手段
Ｓ１〜Ｓ３    バイアス印加電源
【手続補正書】
【提出日】平成15年10月21日(2003.10.21)
【手続補正１】
【補正対象書類名】明細書
【補正対象項目名】００２８
【補正方法】変更
【補正の内容】
【００２８】
Ｃ）磁気ブラシ帯電
磁気ブラシ帯電は、接触帯電部材として導電性磁性粒子をマグネット・ロール等で磁気拘束してブラシ状に形成した磁気ブラシ部を有する部材（磁気ブラシ帯電器）を用い、その磁気ブラシ部を被帯電体としての感光体に接触させ、所定の帯電バイアスを印加して感光体面を所定の極性・電位に帯電させるものである。
【手続補正書】
【提出日】平成15年10月21日(2003.10.21)
【手続補正１】
【補正対象書類名】明細書
【補正対象項目名】００８１
【補正方法】変更
【補正の内容】
【００８１】
またクリーナレス構成の画像記録装置にあっては、トナーリサイクルと直接注入帯電を実現するとともに、接触帯電部材からの帯電粒子の脱落を十分に減らして、画像欠陥の生じない、優れた画像記録装置を構成可能である。


【手続補正２】
【補正対象書類名】明細書
【補正対象項目名】００９６
【補正方法】変更
【補正の内容】
【００９６】
４はレーザダイオード・ポリゴンミラー等を含むレーザビームスキャナ（露光装置）である。このレーザビームスキャナ４は目的の画像情報の時系列電気デジタル画素信号に対応して強度変調されたレーザ光を出力し、該レーザ光で上記回転感光ドラム１の一様帯電面を走査露光Ｌする。
【手続補正書】
【提出日】平成15年8月28日(2003.8.28)
【手続補正１】
【補正対象書類名】明細書
【補正対象項目名】発明の名称
【補正方法】変更
【補正の内容】
【発明の名称】電気光学装置、電気光学装置用基板、電気光学装置の製造方法並びに電子機器


【手続補正２】
【補正対象書類名】明細書
【補正対象項目名】特許請求の範囲
【補正方法】変更
【補正の内容】
【特許請求の範囲】
【請求項１】
一対の基板間に電気光学物質が挟持されてなり、
該一対の基板の一方の基板の前記電気光学物質に面する側に、複数の画素電極と、該複数の画素電極に接続された複数の配線とを備えており、
前記一方の基板は、前記電気光学物質に面する側における前記複数の配線に対向する領域が少なくとも部分的に凹状に窪みを有することを特徴とする電気光学装置。
【請求項２】
一対の基板間に電気光学物質が挟持されてなり、
該一対の基板の一方の基板の前記電気光学物質に面する側に、複数の画素電極と、該複数の画素電極を夫々選択的に駆動するための複数の駆動素子と、該複数の駆動素子に接続された複数の配線とを備えており、
前記一方の基板は、前記電気光学物質に面する側における前記複数の駆動素子及び前記複数の配線に対向する領域が少なくとも部分的に凹状に窪みを有することを特徴とする電気光学装置。
【請求項３】
前記駆動素子は、薄膜トランジスタからなることを特徴とする請求項２に記載の電気光学装置。
【請求項４】
前記一方の基板の前記電気光学物質に面する側に、前記薄膜トランジスタの少なくともチャネル領域を前記一方の基板の側から見て覆う位置に設けられた遮光膜を更に備えたことを特徴とする請求項３に記載の電気光学装置。
【請求項５】
前記複数の画素電極は、マトリクス状に配置されており、
前記複数の配線は、相交差する複数の走査線及び複数のデータ線を含み、
前記一方の基板は、前記電気光学物質に面する側における前記複数の走査線及び前記複数のデータ線に対向する領域が少なくとも部分的に凹状に窪んで形成されていることを特徴とする請求項１乃至４のいずれか一項に記載の電気光学装置。
【請求項６】
前記複数の配線は、前記複数の画素電極に対し蓄積容量を夫々付与するために形成された容量線を含み、
前記一方の基板は、前記電気光学物質に面する側における前記容量線に対向する領域が少なくとも部分的に凹状に窪んで形成されていることを特徴とする請求項１乃至５のいずれか一項に記載の電気光学装置。
【請求項７】
前記一方の基板は、前記電気光学物質に面する側における画素開口領域を除く前記電気光学物質に対向する全領域が凹状に窪んで形成されていることを特徴とする請求項１乃至６のいずれか一項に記載の電気光学装置。
【請求項８】
前記電気光学物質の周囲において前記一対の基板を相互に接着するギャップ材混入のシール材を更に備えており、
前記複数の配線は、前記電気光学物質に対向する領域に配置された主配線から前記シール材に対向する領域に延設された引き出し配線を含み、
前記一方の基板は、前記電気光学物質に面する側における前記引き出し配線に対向する領域が少なくとも部分的に凹状に窪んで形成されていることを特徴とする請求項１乃至７のいずれか一項に記載の電気光学装置。
【請求項９】
前記一方の基板の凹状に窪んだ側壁部分はテーパ状に形成されていることを特徴とする請求項１乃至８のいずれか一項に記載の電気光学装置。
【請求項１０】
前記複数の駆動素子は、凹状に窪んだ部分に絶縁層を介して形成されていることを特徴とする請求項１乃至９のいずれか一項に記載の電気光学装置。
【請求項１１】
請求項１に記載の電気光学装置の製造方法であって、
前記一方の基板となる平らな基板上に前記凹状に窪んだ部分に対応するレジストパターンをフォトリソグラフィで形成する工程と、
該レジストパターンを介して所定時間のエッチングを行い前記凹状に窪んだ部分を形成するエッチング工程と、
前記凹状に窪んだ部分を含む前記一方の基板上に前記複数の画素電極及び前記複数の配線を所定順序で形成する素子形成工程と
を備えたことを特徴とする電気光学装置の製造方法。
【請求項１２】
請求項２乃至４のいずれか一項に記載の電気光学装置の製造方法であって、
前記一方の基板となる平らな基板上に前記凹状に窪んだ部分に対応するレジストパターンをフォトリソグラフィで形成する工程と、
該レジストパターンを介して所定時間のエッチングを行い前記凹状に窪んだ部分を形成するエッチング工程と、
前記凹状に窪んだ部分を含む前記一方の基板上に前記複数の画素電極、前記複数の駆動素子及び前記複数の配線を所定順序で形成する素子形成工程と
を備えたことを特徴とする電気光学装置の製造方法。
【請求項１３】
前記エッチング工程は、前記凹状に窪んだ部分の側壁をテーパ状に形成するウエットエッチング工程を含むことを特徴とする請求項１０又は１１に記載の電気光学装置の製造方法。
【請求項１４】
請求項１乃至９、請求項１３のいずれか一項に記載の電気光学装置を備えたことを特徴とする電子機器。
【請求項１５】
基板に、複数の画素電極と、該複数の画素電極に接続された複数の配線とを備えており、
前記基板の前記複数の配線に対向する領域は少なくとも部分的に凹状に窪みを有することを特徴とする電気光学装置用基板。
【請求項１６】
基板に、複数の画素電極と、該複数の画素電極を夫々選択的に駆動するための複数の駆動素子と、該複数の駆動素子に接続された複数の配線とを備えており、
前記基板の前記複数の駆動素子及び前記複数の配線に対向する領域が少なくとも部分的に凹状に窪みを有することを特徴とする電気光学装置用基板。
【手続補正３】
【補正対象書類名】明細書
【補正対象項目名】０００１
【補正方法】変更
【補正の内容】
【０００１】
【発明の属する技術分野】
本発明は、薄膜トランジスタ（以下適宜、ＴＦＴ（Ｔｈｉｎ  Ｆｉｌｍ  Ｔｒａｎｓｉｓｔｏｒ）と称す）駆動、薄膜ダイオード（以下適宜、ＴＦＤ（Ｔｈｉｎ  Ｆｉｌｍ  Ｄｉｏｄｅ）と称す）駆動等によるアクティブマトリクス駆動方式やパッシブマトリクス駆動方式の電気光学装置、電気光学装置用基板、電気光学装置の製造方法の技術分野に属する。


【手続補正４】
【補正対象書類名】明細書
【補正対象項目名】００４１
【補正方法】変更
【補正の内容】
【００４１】
また、本発明の第１の電気光学装置用基板は、基板に、複数の画素電極と、該複数の画素電極に接続された複数の配線とを備えており、前記基板の前記複数の配線に対向する領域は少なくとも部分的に凹状に窪みを有することを特徴とする。
また、本発明の第２の電気光学装置用基板は、基板に、複数の画素電極と、該複数の画素電極を夫々選択的に駆動するための複数の駆動素子と、該複数の駆動素子に接続された複数の配線とを備えており、前記基板の前記複数の駆動素子及び前記複数の配線に対向する領域が少なくとも部分的に凹状に窪みを有することを特徴とする。
本発明のこのような作用及び他の利得は次に説明する実施の形態から明らかにする。
【手続補正書】
【提出日】平成16年1月13日(2004.1.13)
【手続補正１】
【補正対象書類名】明細書
【補正対象項目名】特許請求の範囲
【補正方法】変更
【補正の内容】
【特許請求の範囲】
【請求項１】
研磨ユニットに砥液を供給する砥液供給装置に用いられるスラリーポンプであって、
２つの回転軸を有するロータに形成されたローブの相互の噛み合いによって送液する容積式回転ポンプを用いることを特徴とするスラリーポンプ。
【請求項２】
接液部が樹脂製であるか又は樹脂コーティングされていることを特徴とする請求項１に記載のスラリーポンプ。
【請求項３】
前記回転軸のシール部にシール液空間が形成されていることを特徴とする請求項１に記載のスラリーポンプ。
【請求項４】
前記回転軸のシール部にシール液空間へ供給するシール液の圧力を制御する制御機構が設けられていることを特徴とする請求項３に記載のスラリーポンプ。
【請求項５】
砥液供給タンクと、該砥液供給タンクと研磨ユニットを連絡する配管系と、請求項１ないし４のいずれかに記載のスラリーポンプとを有することを特徴とする砥液供給装置。
【手続補正２】
【補正対象書類名】明細書
【補正対象項目名】００１１
【補正方法】変更
【補正の内容】
【００１１】
【課題を解決するための手段】
請求項１に記載の発明は、研磨ユニットに砥液を供給する砥液供給装置に用いられるスラリーポンプであって、２つの回転軸を有するロータに形成されたローブの相互の噛み合いによって送液する容積式回転ポンプを用いることを特徴とするスラリーポンプである。
【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
支持体上に気相法による合成シリカを主として含有するインク受容層を設けたインクジェット記録用シートにおいて、該インク受容層に多価金属の水溶性塩を少なくとも１種類含有することを特徴とするインクジェット記録用シート。
【手続補正書】
【提出日】平成15年10月2日(2003.10.2)
【手続補正１】
【補正対象書類名】明細書
【補正対象項目名】００９５
【補正方法】変更
【補正の内容】
【００９５】
さらに、図１８に示すように、カード表面全面に渡って透明な熱接着性樹脂層１０７が熱転写により形成されて表面保護された文字画像入りの画像記録体１１２を得ることができる。


【手続補正２】
【補正対象書類名】図面
【補正対象項目名】図１
【補正方法】変更
【補正の内容】
【図１】
2001138674.tif 000001
【手続補正３】
【補正対象書類名】図面
【補正対象項目名】図１１
【補正方法】変更
【補正の内容】
【図１１】
2001138674.tif 000002
【手続補正４】
【補正対象書類名】図面
【補正対象項目名】図１２
【補正方法】変更
【補正の内容】
【図１２】
2001138674.tif 000003
【手続補正５】
【補正対象書類名】図面
【補正対象項目名】図１３
【補正方法】変更
【補正の内容】
【図１３】
2001138674.tif 000004
【手続補正６】
【補正対象書類名】図面
【補正対象項目名】図１４
【補正方法】変更
【補正の内容】
【図１４】
2001138674.tif 000005
【手続補正７】
【補正対象書類名】図面
【補正対象項目名】図１５
【補正方法】変更
【補正の内容】
【図１５】
2001138674.tif 000006
【手続補正８】
【補正対象書類名】図面
【補正対象項目名】図１６
【補正方法】変更
【補正の内容】
【図１６】
2001138674.tif 000007
【手続補正９】
【補正対象書類名】図面
【補正対象項目名】図１８
【補正方法】変更
【補正の内容】
【図１８】
2001138674.tif 000008
【手続補正１０】
【補正対象書類名】図面
【補正対象項目名】図１９
【補正方法】変更
【補正の内容】
【図１９】
2001138674.tif 000009
【手続補正書】
【提出日】平成15年8月8日(2003.8.8)
【手続補正１】
【補正対象書類名】明細書
【補正対象項目名】特許請求の範囲
【補正方法】変更
【補正の内容】
【特許請求の範囲】
【請求項１】
印刷データを送信可能なコンピュータに接続され、該コンピュータからの前記印刷データを受信するインタフェース部と、
前記印刷データを媒体に印刷する印刷部と、
該印刷部によって印刷された媒体を排出する排出部，及び，この排出部へ所定量以上の媒体が排出された場合に該排出部がフルである旨を検出するセンサを有する排出ユニットと、
前記排出ユニットのセンサがフルである旨を検出していない場合、前記インタフェース部から取得した前記印刷データを前記印刷部により媒体に印刷させて、印刷済みの媒体を前記排出ユニットによりその排出部へ出力させ、前記排出ユニットのセンサがフルである旨を検出している場合、前記インタフェース部から取得した前記印刷データを印刷させずに待機させておくとともに、前記排出ユニットのセンサによるフルである旨の検出が解除されると待機させておいた印刷データを前記印刷部により印刷させて、印刷済みの媒体を前記排出ユニットによりその排出部へ出力させる制御部と
を備えたことを特徴とするプリンタ。
【請求項２】
前記排出ユニットは、複数の前記排出部，及び，これら各排出部毎に夫々設けられた複数の前記センサを、有し、
前記インタフェース部は、前記排出ユニットの各排出部のうちの出力先として指定する排出部を示す出力先情報を含んだ印刷データを受信し、
前記制御部は、印刷済みの媒体を、前記排出ユニットにより、前記印刷データの出力先情報が示す排出部へ出力させる
ことを特徴とする請求項１記載のプリンタ。
【請求項３】
前記排出ユニットは、各排出部に関連付けられた警告灯を有し、
前記制御部は、待機中の印刷データがある場合、この印刷データの出力先情報が示す排出部に関連付けられた警告灯を点灯させておく
ことを特徴とする請求項２記載のプリンタ。
【請求項４】
前記排出ユニットのいずれかのセンサがフルである旨を検出している状態において、前記インタフェース部が当該センサに対応した排出部を示す出力先情報を含んだ印刷データを受信した場合に前記制御部がこの印刷データを待機させておくか、又は、プリンタをエラー状態としてその稼動を停止させるかを指定する設定情報を、各排出部毎に関連付けて格納する設定情報格納部を、
さらに備えたことを特徴とする請求項２又は３記載のプリンタ。
【請求項５】
前記制御部は、印刷データを待機させている状態においても、前記インタフェース部がフルである旨を検出していないセンサに対応した排出部を示す出力情報を含んだ新たな印刷データを受信した場合には、この新たな印刷データを印刷させる
ことを特徴とする請求項２〜４のいずれかに記載のプリンタ。
【請求項６】
前記制御部は、前記排出ユニットの複数のセンサがフルである旨を検出している状態において、前記インタフェース部が当該フルである旨を検出している各出力先に夫々対応する複数の前記印刷データを受信した場合には、これら各印刷データを夫々待機させる
ことを特徴とする請求項２〜５のいずれかに記載のプリンタ。
【請求項７】
前記制御部は、印刷データを前記印刷部により前記媒体に印刷させた後に、待機中の印刷データが存在するかどうか判別し、待機中の印刷データが存在する場合には、その印刷データの出力先情報が示す排出部に対応したセンサによるフルである旨の検出が解除されたことを条件に、その印刷データを前記印刷部により前記媒体に印刷させる
ことを特徴とする請求項５記載のプリンタ。
【請求項８】
前記制御部は、前記排出ユニットのセンサがフルである旨を検出している状態において、複数の印刷データを受信したとき、これら複数の印刷データを順番に待機させる
ことを特徴とする請求項１記載のプリンタ。
【請求項９】
待機中の印刷データを格納する記憶部を、さらに備え、
前記制御部は、前記排出ユニットのセンサがフルである旨を検出している場合、前記インタフェース部から取得した前記印刷データを前記記憶部に格納させることにより、待機させておく
ことを特徴とする請求項１〜８のいずれかに記載のプリンタ。
【請求項１０】
前記制御部は、前記排出ユニットのセンサがフルである旨を検出している場合、前記インタフェース部から取得した前記印刷データを印刷イメージに変換して待機させておく
ことを特徴とする請求項１〜９のいずれかに記載のプリンタ。
【手続補正２】
【補正対象書類名】図面
【補正対象項目名】図２
【補正方法】変更
【補正の内容】
【図２】
2001138605.tif 000001
【手続補正書】
【提出日】平成15年7月29日(2003.7.29)
【手続補正１】
【補正対象書類名】明細書
【補正対象項目名】特許請求の範囲
【補正方法】変更
【補正の内容】
【特許請求の範囲】
【請求項１】
絶縁性を有する基板上に形成された活性層と、
前記活性層を覆うゲイト絶縁膜と、
前記ゲイト絶縁膜上に形成されたゲイト電極と、
を少なくとも有する半導体装置において、
前記ゲイト絶縁膜は少なくともその一部に前記活性層を熱酸化して得られる熱酸化膜を有し、
前記熱酸化膜は前記活性層の主表面のみに接して形成されていることを特徴とする半導体装置。
【請求項２】
絶縁性を有する基板上に形成された活性層と、
前記活性層を覆うゲイト絶縁膜と、
前記ゲイト絶縁膜上に形成されたゲイト電極と、
を少なくとも有する半導体装置において、
前記ゲイト絶縁膜は少なくともその一部に前記活性層を熱酸化して得られる熱酸化膜を有し、
前記活性層の主表面には前記熱酸化膜が接しており、前記活性層の側面には前記熱酸化膜以外の絶縁膜が接していることを特徴とする半導体装置。
【請求項３】
絶縁性を有する基板上に結晶性珪素膜を形成し、
前記結晶性珪素膜に対して熱酸化処理を施すことにより表面に熱酸化膜を形成し、
前記熱酸化膜を残したまま前記結晶性珪素膜をパターニングして活性層を形成し、
ゲイト絶縁膜を形成する半導体装置の作製方法において、
前記ゲイト絶縁膜を形成するときに前記活性層の主表面には前記熱酸化膜が残存していることを特徴とする半導体装置の作製方法。
【請求項４】
絶縁性を有する基板上に結晶性珪素膜を形成し、
前記結晶性珪素膜に対して熱酸化処理を施すことにより表面に熱酸化膜を形成し、
前記熱酸化膜を残したまま前記結晶性珪素膜をパターニングして活性層を形成する半導体装置の作製方法において、
前記熱酸化膜をそのままゲイト絶縁膜として用いることを特徴とする半導体装置の作製方法。
【手続補正２】
【補正対象書類名】明細書
【補正対象項目名】００６６
【補正方法】変更
【補正の内容】
【００６６】
まず、基板としては耐熱性の高い石英基板４０１を用意する。勿論、シリコン基板やＳＯＩ構造を有するＳＩＭＯＸ基板等であっても構わない。そして、バッファ層となる酸化珪素膜４０２、結晶性珪素膜４０３を形成する。結晶性珪素膜４０３の形成方法は実施例１に従えば良いが、次の熱酸化処理により膜厚が減少するので、それを考慮して多めに成膜しておく必要がある。
【手続補正書】
【提出日】平成15年7月28日(2003.7.28)
【手続補正１】
【補正対象書類名】明細書
【補正対象項目名】発明の名称
【補正方法】変更
【補正の内容】
【発明の名称】薄膜トランジスタ
【手続補正２】
【補正対象書類名】明細書
【補正対象項目名】特許請求の範囲
【補正方法】変更
【補正の内容】
【特許請求の範囲】
【請求項１】
活性層を有し、
前記活性層には、前記活性層の両端に設けられた２つのソース領域と、前記２つのソース領域の間に設けられた２つのチャネル領域と、前記２つのチャネル領域の間に設けられた１つのドレイン領域と、前記ドレイン領域と前記２つのチャネル領域との間に設けられた２つの高抵抗領域とが形成され、
前記２つのチャネル領域のそれぞれの上にゲイト絶縁膜を介して２つのゲイト電極が形成された薄膜トランジスタであって、
前記２つのソース領域を結ぶ線上における前記２つの高抵抗領域の長さの和は一定となることを特徴とする薄膜トランジスタ。
【請求項２】
活性層を有し、
前記活性層には、前記活性層の両端に設けられた２つのソース領域と、前記２つのソース領域に接して設けられた２つの高抵抗領域と、前記２つの高抵抗領域の間に設けられた２つのチャネル領域と、前記２つのチャネル領域に接して設けられた１つのドレイン領域とが形成され、
前記２つのチャネル領域のそれぞれの上にゲイト絶縁膜を介して２つのゲイト電極が形成された薄膜トランジスタであって、
前記２つのソース領域を結ぶ線上における前記２つの高抵抗領域の長さの和は一定となることを特徴とする薄膜トランジスタ。
【請求項３】
活性層を有し、
前記活性層には、前記活性層の両端に設けられた２つのソース領域と、前記２つのソース領域の間に設けられた２つのチャネル領域と、前記２つのチャネル領域の間に設けられた１つのドレイン領域と、前記ドレイン領域と前記２つのチャネル領域との間に設けられた２つの低濃度不純物領域とが形成され、
前記２つのチャネル領域のそれぞれの上にゲイト絶縁膜を介して２つのゲイト電極が形成された薄膜トランジスタであって、
前記２つのソース領域を結ぶ線上における前記２つの低濃度不純物領域の長さの和は一定となることを特徴とする薄膜トランジスタ。
【請求項４】
活性層を有し、
前記活性層には、前記活性層の両端に設けられた２つのソース領域と、前記２つのソース領域に接して設けられた２つの低濃度不純物領域と、前記２つの低濃度不純物領域の間に設けられた２つのチャネル領域と、前記２つのチャネル領域に接して設けられた１つのドレイン領域とが形成され、
前記２つのチャネル領域のそれぞれの上にゲイト絶縁膜を介して２つのゲイト電極が形成された薄膜トランジスタであって、
前記２つのソース領域を結ぶ線上における前記２つの低濃度不純物領域の長さの和は一定となることを特徴とする薄膜トランジスタ。
【請求項５】
請求項１または２において、前記２つのソース領域を結ぶ線上における前記２つの高抵抗領域の長さは互いに異なることを特徴とする薄膜トランジスタ。
【請求項６】
請求項３または４において、前記２つのソース領域を結ぶ線上における前記２つの低濃度不純物領域の長さは互いに異なることを特徴とする薄膜トランジスタ。
【請求項７】
請求項１乃至請求項６のいずれか一において、前記ゲイト電極は、モリブデンシリサイド、アルミニウム、タンタルまたは一導電型を有するシリコンから構成されることを特徴とする薄膜トランジスタ。
【請求項８】
アクティブマトリクス型の液晶表示パネルに用いられることを特徴とする請求項１乃至７のいずれか一に記載の薄膜トランジスタ。
【請求項９】
投影装置に具備されたアクティブマトリクス型の液晶表示パネルに用いられることを特徴とする請求項１乃至７のいずれか一に記載の薄膜トランジスタ。
【請求項１０】
パーソナルコンピュータに具備されたアクティブマトリクス型の液晶表示パネルに用いられることを特徴とする請求項１乃至７のいずれか一に記載の薄膜トランジスタ。
【請求項１１】
カーナビゲーションシステムに具備されたアクティブマトリクス型の液晶表示パネルに用いられることを特徴とする請求項１乃至７のいずれか一に記載の薄膜トランジスタ。
【請求項１２】
投写型画像表示装置に具備されたアクティブマトリクス型の液晶表示パネルに用いられることを特徴とする請求項１乃至７のいずれか一に記載の薄膜トランジスタ。
【請求項１３】
ビデオカメラに具備されたアクティブマトリクス型の液晶表示パネルに用いられることを特徴とする請求項１乃至７のいずれか一に記載の薄膜トランジスタ。
【手続補正書】
【提出日】平成15年8月5日(2003.8.5)
【手続補正１】
【補正対象書類名】明細書
【補正対象項目名】特許請求の範囲
【補正方法】変更
【補正の内容】
【特許請求の範囲】
【請求項１】
電子部品が搭載されかつ接合箇所にクリーム半田が付与されたプリント回路基板の一方の面の接合箇所に向けて局部的に熱風を吹き付けてリフロー半田付けすると同時にプリント回路基板の両面のうち、少なくとも一面の所要箇所に向けて局部的に冷風を吹き付けることを特徴とするリフロー方法。
【請求項２】
電子部品が搭載されかつ接合箇所にクリーム半田が付与されたプリント回路基板を搬送する搬送手段と、搬送手段による搬送経路の所定位置でプリント回路基板の一方の面を加熱する加熱部を配設したリフロー装置において、加熱部にプリント回路基板に対向するように熱風ヘッダと冷風ヘッダを配設し、熱風ヘッダからプリント回路基板の一方の面の接合箇所に向けて局部的に熱風を吹き付ける熱風ノズルと、冷風ヘッダからプリント回路基板の一方の面の所要箇所に向けて局部的に冷風を吹き付ける冷風ノズルとを設けたことを特徴とするリフロー装置。
【請求項３】
加熱部に、プリント回路基板を搬送経路から所定の加熱位置に持ち上げる基板昇降手段を設けたことを特徴とする請求項２記載のリフロー装置。
【請求項４】
熱風ノズル及び冷風ノズルの長さをプリント回路基板上の電子部品の形状及び高さに応じて異ならせたことを特徴とする請求項２又は３記載のリフロー装置。
【請求項５】
熱風ヘッダ及び冷風ヘッダのプリント回路基板に対向する面を多数の開口部を形成したプレートにて形成し、所要箇所の開口部に熱風ノズル又は冷風ノズルを貫通配置し、残りの開口部を盲栓で閉じたことを特徴とする請求項２〜４の何れかに記載のリフロー装置。
【請求項６】
熱風ヘッダ及び冷風ヘッダに対する熱風及び冷風の供給通路に開閉弁を配設したことを特徴とする請求項２〜５の何れかに記載のリフロー装置。
【請求項７】
開閉弁の開度をプログラマブルに制御する開閉制御手段を設けたことを特徴とする請求項６記載のリフロー装置。
【請求項８】
プリント回路基板の他方の面の所要箇所に冷風を吹き付ける冷風冷却手段を設けたことを特徴とする請求項２に記載のリフロー装置。
【手続補正２】
【補正対象書類名】明細書
【補正対象項目名】０００９
【補正方法】変更
【補正の内容】
【０００９】
【課題を解決するための手段】
本発明のリフロー方法は、電子部品が搭載されかつ接合箇所にクリーム半田が付与されたプリント回路基板の一方の面の接合箇所に向けて局部的に略垂直に熱風を吹き付けてリフロー半田付けすると同時にプリント回路基板の両面のうち、少なくとも一面の所要箇所に向けて局部的に冷風を吹き付けるものであり、接合箇所に熱風を吹き付けることにより半田を確実に再溶融して半田付けし、同時に接合箇所以外の熱に弱い部分に向けて冷風を吹き付けることによりその熱損傷を防止するようにしている。


【手続補正３】
【補正対象書類名】明細書
【補正対象項目名】００１０
【補正方法】変更
【補正の内容】
【００１０】
また、プリント回路基板の熱風を吹き付ける面とは反対側の面である他面の所要箇所に冷風を吹き付けるようにすると、特に熱に弱い弱耐熱電子部品を搭載した面を他面とし、その電子部品に対して冷風を吹き付けることにより、弱耐熱電子部品を搭載した状態のプリント回路基板についても一括半田付けを行うことができる。また、プリント回路基板の両面に表面実装電子部品を搭載している場合でも、リフロー時に下面側になる電子部品の接合箇所を冷却することによりその接合半田が溶融する恐れがなく、下面側になる電子部品を接着剤で固着していなくても落下する恐れがなく、従って表面実装電子部品の搭載時の接着剤塗布工程を無くすことも可能となる。


【手続補正４】
【補正対象書類名】明細書
【補正対象項目名】００１１
【補正方法】変更
【補正の内容】
【００１１】
また、本発明のリフロー装置は、プリント回路基板を搬送する搬送手段と、搬送手段による搬送経路の所定位置でプリント回路基板の一方の面を加熱する加熱部を配設したリフロー装置において、加熱部にプリント回路基板に対向するように熱風ヘッダと冷風ヘッダを配設し、熱風ヘッダからプリント回路基板の一方の面の接合箇所に向けて局部的に熱風を吹き付ける熱風ノズルと、冷風ヘッダからプリント回路基板の一方の面の所要箇所に向けて局部的に冷風を吹き付ける冷風ノズルとを設けたものであり、熱風ヘッダと冷風ヘッダにそれぞれ熱風と冷風を供給することにより熱風ノズル及び冷風ノズルからプリント回路基板の所要箇所に熱風や冷風を適切に吹き付けて上記リフロー方法を実施することができる。


【手続補正５】
【補正対象書類名】明細書
【補正対象項目名】００１５
【補正方法】変更
【補正の内容】
【００１５】
また、プリント回路基板の他方の面の所要箇所に冷風を吹き付ける冷風冷却手段を設けることにより、プリント回路基板の熱風を吹き付ける面とは反対側の面である他方の面の所要箇所に対する冷風吹き付けによる作用を奏することができる。


【手続補正６】
【補正対象書類名】明細書
【補正対象項目名】００３６
【補正方法】変更
【補正の内容】
【００３６】
【発明の効果】
本発明のリフロー方法によれば、以上の説明から明らかなように、プリント回路基板の一方の面の接合箇所に向けて局部的に熱風を吹き付けてリフロー半田付けすると同時にプリント回路基板の両面のうち、少なくとも一面の所要箇所に向けて局部的に冷風を吹き付けるので、接合箇所の半田を確実に再溶融して半田付けできるとともに、接合箇所以外の熱に弱い部分の熱損傷を確実に防止することができる。


【手続補正７】
【補正対象書類名】明細書
【補正対象項目名】００３７
【補正方法】変更
【補正の内容】
【００３７】
また、プリント回路基板の熱風を吹き付ける面とは反対側の面である他面の所要箇所に冷風を吹き付けるようにすると、特に熱に弱い弱耐熱電子部品を搭載した面を他面とし、その電子部品に対して冷風を吹き付けることにより、弱耐熱電子部品を搭載した状態のプリント回路基板についても一括半田付けを行うことができる。


【手続補正８】
【補正対象書類名】明細書
【補正対象項目名】００３８
【補正方法】変更
【補正の内容】
【００３８】
また、本発明のリフロー装置によれば、加熱部にプリント回路基板に対向するように熱風ヘッダと冷風ヘッダを配設し、熱風ヘッダからプリント回路基板の一方の面の接合箇所に向けて局部的に熱風を吹き付ける熱風ノズルと、冷風ヘッダからプリント回路基板の一方の面の所要箇所に向けて局部的に冷風を吹き付ける冷風ノズルとを設けているので、熱風ノズル及び冷風ノズルからプリント回路基板の所要箇所に熱風や冷風を適切に吹き付けて上記リフロー方法を実施することができる。


【手続補正９】
【補正対象書類名】明細書
【補正対象項目名】００４２
【補正方法】変更
【補正の内容】
【００４２】
また、プリント回路基板の他方の面の所要箇所に冷風を吹き付ける冷風冷却手段を設けることにより、プリント回路基板の熱風を吹き付ける面とは反対側の面である他方の面の所要箇所に対する冷風吹き付けによる作用を奏することができる。
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
はんだペーストが印刷される印刷面を有する基板を前記印刷面と異なる面で保持する保持手段と、
はんだペースト印刷用の開口部を形成したマスクを前記基板上に位置決め載置するマスク載置手段と、
前記基板の上に載置されたマスクのはんだペーストが供給される面を含み、かつこの面より上部の空間を封止空間として形成する箱体と、
前記マスク上に供給されたはんだペーストを前記基板上に載置されたマスクの開口部に押し込むスキージと、
このスキージにより開口部にはんだペーストが押し込まれたマスクを前記基板から剥がす版離れ手段と、
この版離れ手段が動作する前に、前記箱体によって形成された封止空間内の気圧が封止空間外の気圧よりも高くなるように調整して設定する気圧調整手段と
を具備することを特徴とするはんだペースト印刷装置。
【請求項２】
前記気圧調整手段は、前記版離れ手段の動作に基づいて前記封止空間内の気圧をその封止空間外の気圧よりも高く設定することを特徴とする請求項１記載のはんだペースト印刷装置。
【請求項３】
はんだペーストが印刷される基板に、基板上のはんだペーストの塗布箇所に対応して形成された開口部を有するマスクを介してはんだペーストを印刷するはんだペースト印刷方法において、
前記基板上にマスクを介してはんだペーストが供給され、マスクを基板から離す版離れ動作開始に基づき、前記マスク全体に付加される圧力を高めていくことを特徴とするはんだペースト印刷方法。
【請求項４】
はんだペーストが印刷される基板に基板上のはんだペーストの塗布箇所に対応して形成された開口部を有するマスクを介してはんだペーストを印刷するはんだペースト印刷方法において、
前記基板上にマスクを介してはんだペーストが供給された後、マスクを基板から離す版離れ動作開始前に、前記マスク全体に付加される圧力を高くし、その圧力を高くした状態で版離れ動作を行うことを特徴とするはんだペースト印刷方法。
【手続補正２】
【補正対象書類名】明細書
【補正対象項目名】００１１
【補正方法】変更
【補正の内容】
【００１１】
【課題を解決するための手段】
本発明は、上記従来の課題を解決するためになされたものであり、第１の発明ははんだペースト印刷装置に係り、はんだペーストが印刷される印刷面を有する基板を前記印刷面と異なる面で保持する保持手段と、はんだペースト印刷用の開口部を形成したマスクを前記基板上に位置決め載置するマスク載置手段と、前記基板の上に載置されたマスクのはんだペーストが供給される面を含み、かつこの面より上部の空間を封止空間として形成する箱体と、前記マスク上に供給されたはんだペーストを前記基板上に載置されたマスクの開口部に押し込むスキージと、このスキージにより開口部にはんだペーストが押し込まれたマスクを前記基板から剥がす版離れ手段と、この版離れ手段が動作する前に、前記箱体によって形成された封止空間内の気圧が封止空間外の気圧よりも高くなるように調整して設定する気圧調整手段とを具備することを特徴とする。
【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
電子部品を搭載したプリント回路基板のリフロー条件設定方法において、所定の多数の測定位置に温度測定用熱電対を取付けたプリント回路基板をリフロー炉に挿入し、リフロー炉を運転して各測定位置の温度を温度計測部で計測し、計測した複数の温度プロファイルを画面表示して、それらの比較に基づいてリフロー条件を設定することを特徴とするリフロー条件設定方法。
【請求項２】
前記複数の温度プロファイルが、計測した温度プロファイルと、適正な温度プロファイルとである請求項１記載のリフロー条件設定方法。
【請求項３】
温度プロファイルの画面表示として、画面切り替え、または、画面分割で表示することを特徴とする請求項１又は２記載のリフロー条件設定方法。
【請求項４】
請求項１のリフロー条件を設定する時に、前記温度プロファイルとプリント回路基板上の挙動に関するデータとを持ったリフロー設定ソフトを用いることを特徴とする請求項１〜３の何れかに記載のリフロー条件設定方法。
【請求項５】
所定の測定位置に温度測定用熱電対を取付けたプリント回路基板と、各測定位置の温度を計測する温度計測部と、温度計測結果をデータ処理してプリント回路基板上の複数の温度プロファイルを画面表示するパソコンと、前記複数の温度プロファイルを比較してリフロー条件を設定するリフロー条件設定手段とを備えたことを特徴とするリフロー条件設定装置。
【手続補正２】
【補正対象書類名】明細書
【補正対象項目名】０００９
【補正方法】変更
【補正の内容】
【０００９】
【課題を解決するための手段】
本発明のリフロー条件設定方法は、所定の多数の測定位置に温度測定用熱電対を取付けたプリント回路基板をリフロー炉に挿入し、リフロー炉を運転して各測定位置の温度を温度計測部で計測し、計測した複数の温度プロファイルを画面表示して、それらの比較に基づいてプリント回路基板の各部分の温度がそれぞれ所望の温度になるリフロー条件を容易に設定できるようにしている。


【手続補正３】
【補正対象書類名】明細書
【補正対象項目名】００１０
【補正方法】変更
【補正の内容】
【００１０】
なお、温度計測部で計測した結果をデータ処理してプリント基板上の温度分布を画面上に、等温線図状に表示すると、温度分布状態を一目して把握することができ、またプリント回路基板上の一部又は全部をモニタカメラで撮像し、リフロー中のプリント回路基板上の挙動を画面表示することにより、温度プロファイルと実際の挙動を同時に把握することができ、容易に短時間で適正なリフロー条件に設定できる。


【手続補正４】
【補正対象書類名】明細書
【補正対象項目名】００１２
【補正方法】変更
【補正の内容】
【００１２】
また、本発明のリフロー条件設定装置は、所定の測定位置に温度測定用熱電対を取付けたプリント回路基板と、各測定位置の温度を計測する温度計測部と、温度計測結果をデータ処理してプリント回路基板上の複数の温度プロファイルを画面表示するパソコンと、前記複数の温度プロファイルを比較してリフロー条件を設定するリフロー条件設定手段とを備え、上記設定方法を実施できるようにしている。


【手続補正５】
【補正対象書類名】明細書
【補正対象項目名】００２２
【補正方法】変更
【補正の内容】
【００２２】
【発明の効果】
本発明のリフロー条件設定方法によれば、以上の説明から明らかなように、所定の多数の測定位置に温度測定用熱電対を取付けたプリント回路基板をリフロー炉に挿入し、リフロー炉を運転して各測定位置の温度を温度計測部で計測し、計測した複数の温度プロファイルを画面表示して、それらの比較に基づいてプリント回路基板の各部分の温度がそれぞれ所望の温度になるように容易にリフロー条件を設定することができ、実際にプリント回路基板をリフロー半田付けしてその半田付け結果や電子部品の熱損傷等の検査を行ってリフロー条件の再設定を行うという動作を何度も繰り返す必要がなくなり、能率的にリフロー条件を設定することができる。


【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】変更
【補正の内容】
【００２５】
また、本発明のリフロー条件設定装置によれば、所定の測定位置に温度測定用熱電対を取付けたプリント回路基板と、各測定位置の温度を計測する温度計測部と、温度計測結果をデータ処理してプリント回路基板上の複数の温度プロファイルを画面表示するパソコンと、前記複数の温度プロファイルを比較してリフロー条件を設定するリフロー条件設定手段とを備えることにより、上記設定方法を実施することができる。
【手続補正書】
【提出日】平成15年7月25日(2003.7.25)
【手続補正１】
【補正対象書類名】明細書
【補正対象項目名】発明の名称
【補正方法】変更
【補正の内容】
【発明の名称】映像提供システム
【手続補正２】
【補正対象書類名】明細書
【補正対象項目名】特許請求の範囲
【補正方法】変更
【補正の内容】
【特許請求の範囲】
【請求項１】
カメラ側の装置で撮影された映像信号を携帯機に送信する映像提供システムであって、
カメラ側の装置は、被写体によるスイッチ操作又はセンサによる被写体の存在の検出で撮影を開始するカメラと、該カメラが出力する映像信号を送信する通信手段と、を備え、
携帯機は、カメラ側の装置と通信する通信手段と、該通信手段により受信した映像信号を基に前記カメラの撮影映像を表示する表示手段と、を備えることを特徴とする映像提供システム。
【請求項２】
カメラ側の装置で撮影された映像信号を携帯機に送信する映像提供システムであって、
カメラ側の装置は、被写体によるスイッチ操作又はセンサによる被写体の存在の検出で撮影を開始するカメラと、該カメラが出力する映像信号を圧縮する信号圧縮手段と、該信号圧縮手段により圧縮された映像信号を送信する通信手段と、を備え、
携帯機は、カメラ側の装置と通信する通信手段と、該通信手段により前記信号圧縮手段が圧縮した圧縮信号を受信して該圧縮信号を伸長する信号伸長手段と、該信号伸長手段により伸長された映像信号を基に前記カメラの撮影映像を表示する表示手段と、を備えることを特徴とする映像提供システム。
【請求項３】
請求項１又は請求項２に記載の映像提供システムにおいて、  カメラ側の装置は、カメラで撮影された映像信号を蓄積する画像蓄積手段を備えることを特徴とする映像提供システム。
【請求項４】
請求項１乃至３のいずれか１項に記載の映像提供システムにおいて、
カメラ側の装置は、カメラが撮影すると撮影した映像信号を携帯機へ送信することを特徴とする映像提供システム。
【請求項５】
請求項１乃至３のいずれか１項に記載の映像提供システムにおいて、
カメラ側の装置は、携帯機から受信した映像要求に応じて映像信号を当該携帯機へ送信することを特徴とする映像提供システム。
【請求項６】
請求項１乃至３のいずれか１項又は請求項５に記載の映像提供システムにおいて、
カメラ側の装置は、暗証番号を保持する暗証番号記憶手段を有し、携帯機から受信した暗証番号が一致することを条件に、映像信号を当該携帯機へ送信することを特徴とする映像提供システム。
【請求項７】
請求項１乃至６のいずれか１項に記載の映像提供システムにおいて、
カメラ側の装置は、クロックを有し、カメラが出力する映像信号に撮影日時を重畳することを特徴とする映像提供システム。
【請求項８】
カメラで撮影された映像信号を携帯機に送信する映像提供装置であって、
スイッチと、被写体によるスイッチ操作又はセンサによる被写体の存在の検出で撮影を開始するカメラと、該カメラが出力する映像信号を送信する通信手段と、を備え、
通信手段と該通信手段により受信した映像信号を基に映像を表示する表示手段とを備える携帯機に、前記カメラから出力された映像信号を送信することを特徴とする映像提供装置。
【請求項９】
カメラで撮影された映像信号を受信して表示出力する映像提供システムの携帯機であって、
被写体によるスイッチ操作又はセンサによる被写体の存在の検出で撮影を開始するカメラで撮影された映像信号を受信する通信手段と、該通信手段により受信した映像信号を基に前記カメラの撮影映像を表示する表示手段と、を備えることを特徴とする映像提供システムの携帯機。
【請求項１０】
被写体によるスイッチ操作又はセンサによる被写体の存在の検出で撮影を開始するカメラが設けられた子機と、
該子機と接続され、該子機のカメラが出力する映像信号を圧縮する信号圧縮手段および該信号圧縮手段により圧縮された映像信号を送信する通信手段が設けられた親機と、
該親機の通信手段と通信する通信手段、該通信手段により前記信号圧縮手段が圧縮した圧縮信号を受信して該圧縮信号を伸長する信号伸長手段および該信号伸長手段により伸長された映像信号を基に前記カメラの撮影映像を表示する表示手段が設けられた携帯機と、を備えることを特徴とするインターフォン。
【手続補正３】
【補正対象書類名】明細書
【補正対象項目名】０００１
【補正方法】変更
【補正の内容】
【０００１】
【発明の属する技術分野】
この発明は、インターフォン、詳しくは、来訪者あるいはその履歴を外部の携帯機から知ることができるようにした映像提供システムに関する。


【手続補正４】
【補正対象書類名】明細書
【補正対象項目名】０００４
【補正方法】変更
【補正の内容】
【０００４】
【発明が解決しようとする課題】
しかしながら、上述した従来のインターフォンにあっては、家人が留守にしていた場合、来訪者が誰であるかのみならず、来訪者の有無さえも知ることができないという問題がある。
この発明は、上記問題に鑑みなされたもので、留守にしていた場合でも来訪者の有無、来訪者が誰であるかを知ることができる映像提供システムを提供することを目的とする。


【手続補正５】
【補正対象書類名】明細書
【補正対象項目名】０００８
【補正方法】変更
【補正の内容】
【０００８】
親機は、前述した従来のインターフォンと同様に、ブザー、モニタテレビ（表示手段）、マイク、スピーカおよび応答用のスイッチ等を備え、また、子機の映像信号を処理する映像処理部、携帯機との通信部、映像信号を圧縮する信号圧縮手段、映像信号を蓄積する画像蓄積手段および周知のＣＰＵ等からなる制御部を備え、さらに、留守モードと在宅モードを切り替え可能なモード選択スイッチ等が必要に応じて設けられる。


【手続補正６】
【補正対象書類名】明細書
【補正対象項目名】００３２
【補正方法】変更
【補正の内容】
【００３２】
【発明の効果】
以上説明したように、この発明によれば、訪問者を子機のカメラにより撮影し、このカメラの映像データを圧縮して携帯機に送信し、携帯機のモニタに表示するため、留守にしている場合でも訪問者の有無のみならず訪問者が誰であるかも知ることができる。
特に、この発明は、親機に画像蓄積手段を設け、この画像蓄積手段に圧縮された映像データを蓄積し、この蓄積された映像データを携帯機からの要求に応じて携帯機に送信することで、訪問者の有無等を適宜の時に知ることができ、より利便性に優れる。
また、この発明は、撮影の日時を映像データに重畳することで、訪問の日時も容易に知ることができ、後の訪問者に対する対処もより容易になる。
【手続補正書】
【提出日】平成15年7月29日(2003.7.29)
【手続補正１】
【補正対象書類名】明細書
【補正対象項目名】発明の名称
【補正方法】変更
【補正の内容】
【発明の名称】識別文字読取り装置及び方法、通信装置、映像記録装置、並びに映像記録機の制御装置


【手続補正２】
【補正対象書類名】明細書
【補正対象項目名】特許請求の範囲
【補正方法】変更
【補正の内容】
【特許請求の範囲】
【請求項１】
識別文字を光学的に読み取る読み取り手段と、
該読み取り手段よりの読み取り信号を文字認識する文字認識手段と、
該文字認識手段よりの識別文字データを記憶する記憶手段と、
上記文字認識手段及び上記記憶手段よりの識別文字データが供給される出力手段と
を有することを特徴とする識別文字読み取り装置。
【請求項２】
請求項１に記載の識別文字読み取り装置において、
上記識別文字は、通信アドレスを示すものであることを特徴とする識別文字読み取り装置。
【請求項３】
通信アドレスを示す識別文字を光学的に読み取る読み取り手段と、
該読み取り手段よりの読み取り信号を文字認識する文字認識手段と、
該文字認識手段よりの識別文字データを記憶する記憶手段と、
上記文字認識手段及び上記記憶手段よりの識別文字データが供給される出力手段とを備える識別文字読み取り機と、
上記出力手段よりの識別文字データ信号が供給される通信機と
を有することを特徴とする通信装置。
【請求項４】
請求項１に記載の識別文字読み取り装置において、
上記識別文字は、テレビ番組のチャンネル並びに放送開始及び終了時刻を示す識別コード文字であることを特徴とする識別文字読み取り装置。
【請求項５】
テレビ番組のチャンネル並びに放送開始及び終了時刻を示す識別コード文字を光学的に読み取る読み取り手段と、
該読み取り手段よりの読み取り信号を文字認識する文字認識手段と、
該文字認識手段よりの識別コード文字データを記憶する記憶手段と、
上記文字認識手段及び上記記憶手段よりの識別コード文字データが供給される出力手段とを備える識別コード文字読み取り機と、
上記出力手段よりの識別コード文字データ信号が供給されるテレビチューナ付き映像記録機と
を有することを特徴とする映像記録装置。
【請求項６】
テレビ番組のチャンネル並びに放送開始及び終了時刻を示す識別コード文字を光学的に読み取る読み取り手段と、
該読み取り手段よりの読み取り信号を文字認識する文字認識手段と、
該文字認識手段よりの識別コード文字データを記憶する記憶手段と、
上記文字認識手段及び上記記憶手段よりの識別コード文字データが供給される出力手段とを備える識別コード文字読み取り機と、
上記出力手段よりの識別コード文字データ信号が供給されるテレビチューナ付き映像記録機制御用コマンダと
を有することを特徴とする映像記録機の制御装置。
【請求項７】
テレビ番組のチャンネル並びに放送開始及び終了時刻を示す識別コード文字を光学的に読み取る読み取り手段と、
該読み取り手段よりの読み取り信号を文字認識する文字認識手段と、
該文字認識手段よりの識別コード文字データを記憶する記憶手段と、
上記文字認識手段及び上記記憶手段よりの識別コード文字データが供給される出力手段とを備える識別コード文字読み取り機と、
上記出力手段よりの識別コード文字データ信号が供給されるテレビチューナ付き映像記録機制御用コマンダと、
該テレビチューナ付き映像記録機制御用コマンダによって制御されるテレビチューナ付き映像記録機と
を有することを特徴とする映像記録装置。
【請求項８】
請求項２に記載の識別文字読み取り装置において、
上記通信アドレスは、WWWサーバのURL、または電子メールアドレスであることを特徴とする識別文字読み取り装置。
【請求項９】
識別文字を読み取る識別文字読み取り装置における識別文字読み取り方法であって、
識別文字を光学的に読み取る読み取りステップと、
該読み取りステップの処理よりの読み取り信号を文字認識する認識ステップと、
該文字認識ステップの処理よりの識別文字データを記憶する記憶ステップと、
上記認識ステップの処理及び上記記憶ステップの処理よりの識別文字データが供給される出力ステップと
を有することを特徴とする識別文字読み取り方法。
【手続補正３】
【補正対象書類名】明細書
【補正対象項目名】０００１
【補正方法】変更
【補正の内容】
【０００１】
本発明は、識別文字読取り装置及び方法、通信装置、映像記録装置、並びに映像記録機の制御装置に関する。